(57)【要約】      （修正有）【課題】操作履歴を呼び出して操作設定可能な画像形成装置において、画像形成装置の状態を取得することにより、その状態に関連する操作を操作履歴の中から絞り込んで表示することにより、操作者の所望の操作履歴を容易に選択できるようすること。【解決手段】認証情報を読み取る読取手段と、認証情報をもとに認証処理を行なう認証処理手段と、認証結果に基づいて画像形成装置の使用要求が認められたユーザを識別するための識別手段と、識別されたユーザ毎に操作履歴を記憶する記憶手段と、識別されたユーザが行った画像形成装置に対する操作を検知するための検知手段と、検知された操作を含む操作履歴を記憶された操作履歴の中から抽出する抽出手段と、抽出された操作履歴を表示する表示手段と、表示された操作履歴の中から任意の操作履歴を選択する選択手段と、選択された操作履歴の設定情報を画像形成装置に設定する設定手段とを備える。【選択図】        図１
2006220940.tif 000002
【特許請求の範囲】
【請求項１】
画像形成装置であって、
認証情報が記憶された記憶媒体から認証情報を読み取るための読取手段と、
前記読取手段から読み取った認証情報をもとに認証処理を行なう認証処理手段と、
前記認証処理手段による認証結果に基づいて、前記画像形成装置の使用要求が認められたユーザを識別するための識別手段と、
前記識別手段により識別されたユーザ毎に操作履歴を記憶するための記憶手段と、
前記識別手段により識別されたユーザが行った前記画像形成装置に対する操作を検知するための検知手段と、
前記検知手段により検知された操作を含む前記操作履歴を前記記憶手段に記憶された操作履歴の中から抽出するための抽出手段と、
前記抽出手段により抽出された操作履歴を表示する表示手段と、
表示手段により表示された操作履歴の中から任意の操作履歴を選択するための選択手段と、
前記選択手段により選択された操作履歴の設定情報を、画像形成装置に設定するための設定手段とを備えたことを特徴とする画像形成装置。
【請求項２】
前記操作履歴記憶手段は、
前記個人認証手段によって特定された個人単位で操作履歴を記憶するための個人操作履歴記憶手段を有することを特徴とした請求項１記載の画像形成装置。
【請求項３】
前記操作履歴記憶手段は、個人を特定していない未認証者の操作履歴を記憶するための未認証者操作履歴記憶手段を有することを特徴とした請求項１記載の画像形成装置。
【請求項４】
前記操作履歴記憶手段は、
前記画像形成装置の開始ボタン押下のタイミングで、記憶媒体に記憶されることを特徴とした請求項１記載の画像形成装置。
【請求項５】
前記操作履歴記憶手段は、
操作日時と、画像形成に関わる、画質、描画方法、印刷速度、フィニッシング処理、給紙処理、排紙処理等に必要な各種設定情報のうち１つ以上を記憶することを特徴とした請求項１記載の画像形成装置。
【請求項６】
前記操作履歴表示手段は、
複数の操作履歴の中から１つの操作履歴を選択するための操作履歴選択手段と、
前記操作履歴選択手段によって選択された操作履歴に対応する画像形成装置の設定情報を表示するための設定情報表示手段とを有することを特徴とした請求項１記載の画像形成装置。
【請求項７】
前記操作履歴表示手段は、
前記個人操作履歴記憶手段に記憶された個人の操作履歴を表示するための個人操作履歴選択手段と、
前記画像形成装置の全操作履歴を表示するための全操作履歴選択手段と、
を有することを特徴とした請求項１記載の画像形成装置。
【請求項８】
前記操作履歴表示制御手段は、
前記装置状態取得手段によって得られた前記画像形成装置の状態に応じて、利用可能な操作履歴のみを抽出して表示する表示制御手段を有することを特徴とした請求項１記載の画像形成装置。
【請求項９】
前記操作履歴表示制御手段は、
表示制御機能を有効化するための表示制御機能有効化手段と、
表示制御機能を無効化するための表示制御機能無効化手段と、
を有することを特徴とした請求項１記載の画像形成装置。
【発明の詳細な説明】
【技術分野】
【０００１】
本発明は、操作履歴を呼び出して操作設定可能な画像形成装置に関するものである。
【背景技術】
【０００２】
従来の画像形成装置における操作履歴の表示手段及び利用方法について以下に説明する。
【０００３】
図８はコピー機能、ＦＡＸ機能、印刷機能などを有する画像形成装置（デジタル複合機とも呼ぶ）の操作パネルを表した図である。図８において、８０１は操作パネルであり、８０２は操作パネル８０１上に配置された表示部であるところの液晶パネル、また液晶パネル８０２上にはタッチパネルが配置され、液晶パネル８０２に表示されたソフトスイッチの操作を検出することに利用される。
【０００４】
以下、８０３から８１５は液晶パネル８０２上にソフト的に表示されたスイッチ及び表示部に関する説明である。８０３はコピー機能選択スイッチ、８０４はＦＡＸ機能選択スイッチ、８０５はボックス機能選択スイッチ、８０６はオプションデバイスなどによって提供される拡張機能を利用するための拡張機能選択スイッチ、８０７は現在の画像形成装置の設定状態及び動作状態を表示するための状態表示部、８０８は印刷濃度を設定するための濃度設定スイッチ、８０９は印刷倍率を等倍に設定するための等倍スイッチ、８１０は印刷倍率を設定するための倍率スイッチ、８１１は用紙サイズを選択するための用紙サイズスイッチ、８１２はソータのソートモードを設定するためのソータスイッチ、８１３は両面印刷モードを設定するための両面スイッチ、８１４はコピーで利用することができる応用機能を選択するための応用モードスイッチ、８１５はシステム状況の確認やプリントを中止する機能を利用するためのシステム状況／中止スイッチである。
【０００５】
以下、８１６から８２４は操作パネル８０１上に物理的に配置されたスイッチに関する説明である。８１６は設定の初期化などを行うためのリセットスイッチ、８１７は節電モードの設定／解除を行うための節電スイッチ、８１８はコピーの開始やＦＡＸの送信スタートなどを指示するためのスタートスイッチ、８１９はコピー動作などを止めるためのストップスイッチ、８２０はＦＡＸ番号の入力やコピー部数の入力などを行うために利用するテンキー、８２１は入力した数字や文字を取り消すときに利用するクリアキー、８２２はＩＤ番号を設定するときなどに利用するＩＤキー、８２３は操作ガイドを液晶パネル８０２に表示させるために利用するガイドキー、８２４は画像形成装置の仕様設定を行うときに利用するユーザモードキーである。
【０００６】
オペレータが画像形成装置に対して何らかの操作を行う場合、初めに複数の機能の中から何れの機能を利用するかを選択する必要がある。もしオペレータがコピー機能を利用したいのであれば、オペレータは液晶パネル８０２上に表示されたコピー機能選択スイッチ８０３を押下する。すると液晶パネル８０２上には、図８で示したような画面が表示され、コピー機能を利用するために必要なユーザインターフェースが表示される。同様に、ＦＡＸ機能を利用したい場合はＦＡＸ機能選択スイッチ８０４、ボックス機能を利用したい場合はボックス機能選択スイッチ８０５、拡張機能を利用したい場合は拡張機能選択スイッチ８０６をそれぞれ押下し、これによって液晶パネル８０２上に表示されるユーザインターフェースを利用することになる。
【０００７】
実際に操作パネル８０１を用いてコピーを行う際の操作手順を、図９のフローチャートを用いて以下に説明する。オペレータは初めに機能選択を行う必要があるが（Ｓ９０１）、ここではコピー機能選択スイッチ８０３が押下され、コピー機能が選択されたものとする。これにより液晶パネル８０２には図８で図示したようなユーザインターフェースが表示される。続いてオペレータは等倍スイッチ８０９または倍率スイッチ８１０を用いてコピーの倍率設定を行い（Ｓ９０２）、用紙サイズスイッチ８１１を用いてコピー用紙のサイズ選択を行い、テンキー８２０を用いてコピー部数の設定を行う（Ｓ９０４）。このステップＳ９０２からステップＳ９０４で設定した内容は、状態表示部８０７に表示されるため、オペレータは現在の設定を確認することができる。
【０００８】
続いてオペレータは必要に応じて、ソータスイッチ８１２を押下し、ソート方法の設定を行い（Ｓ９０５）、両面スイッチ８１３を押下し、両面モードの選択を行い（Ｓ９０６）、濃度設定スイッチＳ８０８を押下しコピー濃度の設定を行い（Ｓ９０７）、応用モードスイッチ８１４を押下し応用モードの設定を行う（Ｓ９０８）。ここで説明したステップＳ９０５からステップＳ９０８では、各スイッチの押下によって、新しいユーザインターフェース画面が液晶パネル８０２上に表示され、詳細な設定を行うことが可能であるが、本発明の主旨と関係ない部分に関しては説明を割愛する（ステップＳ９０８で行われる応用モードの設定に関してのみ後述する）。
【０００９】
オペレータは以上の設定が終了すると、コピーの準備が整うことから、スタートスイッチ８１８を押下し、画像形成装置に対してコピーの開始命令を行う（Ｓ９０９）。この命令を検出した画像形成装置はコピー処理を実行し（Ｓ９１０）、コピー動作が完了する。
【００１０】
次に、応用モードの中の一機能として提供される操作履歴の利用方法について以下に説明する。
【００１１】
ステップＳ９０８で応用モードスイッチ８１４が押下されると、液晶パネル８０２には図１０で示した応用モード詳細設定画面１００１がポップアップ表示される。操作履歴を利用するためには、操作履歴スイッチ８１２を押下する必要がある。閉じるスイッチ１００３はポップアップ表示された応用モード詳細設定画面を閉じるためのスイッチである。
【００１２】
操作履歴スイッチ１００２が押下されると、液晶パネル８０２には図１１で示した操作履歴詳細設定画面１１０１がポップアップ表示される。
【００１３】
図１１において、１１０２は過去にコピー操作が行われた際に設定された設定情報を表示するための履歴情報表示画面、１１０３は１つ前の操作履歴を表示するための１つ前スイッチ、１１０３は２つ前の操作履歴を表示するための２つ前スイッチ、１１０３は３つ前の操作履歴を表示するための３つ前スイッチ、１１０６は履歴情報表示画面１１０２に表示された設定情報を画像形成装置に反映させずに、操作履歴詳細設定画面１１０１を閉じるためのキャンセルスイッチ、１１０７は履歴情報表示画面１１０２に表示された設定情報を画像形成装置に反映させてから、操作履歴詳細設定画面１１０１を閉じるためのＯＫスイッチである。
【００１４】
オペレータが例えば２つ前の操作履歴に残っている設定情報を参照したい場合、２つ前スイッチ１１０４を押下すると、履歴情報表示画面１１０２には２つ前のコピー操作時に設定された情報が操作履歴として表示される。オペレータはこの設定情報を利用するためにＯＫスイッチ１１０７を押下すると、この設定は画像形成装置に自動的に設定され、操作履歴詳細設定画面１１０１は自動的に閉じられる。この操作履歴によるコピー操作の設定機能により、図９のフローチャートで説明したコピー操作の設定手順を大幅にスキップ（省力化）することが可能となる（例えば、特許文献１参照）。
【特許文献１】特開２０００−２３１３０９号公報
【発明の開示】
【発明が解決しようとする課題】
【００１５】
しかしながら上記従来例では、画像形成装置の操作全てが、同一レベルの操作履歴として記憶され再利用されるため、実際にユーザがこれから実施しようとしている操作とは無関係の操作履歴までが表示され、所望の操作履歴を見つけることが容易でない場合があった。
【００１６】
本発明は、以上の点に着目して成されたもので、所望の操作履歴を容易に選択することが可能で、ユーザの利便性を向上させることができる画像形成装置を提供することを目的とする。
【課題を解決するための手段】
【００１７】
本発明は下記の構成を備えることにより上記課題を解決できるものである。
【００１８】
画像形成装置であって、認証情報が記憶された記憶媒体から認証情報を読み取るための読取手段と、前記読取手段から読み取った認証情報をもとに認証処理を行なう認証処理手段と、前記認証処理手段による認証結果に基づいて、前記画像形成装置の使用要求が認められたユーザを識別するための識別手段と、前記識別手段により識別されたユーザ毎に操作履歴を記憶するための記憶手段と、前記識別手段により識別されたユーザが行った前記画像形成装置に対する操作を検知するための検知手段と、前記検知手段により検知された操作を含む前記操作履歴を前記記憶手段に記憶された操作履歴の中から抽出するための抽出手段と、前記抽出手段により抽出された操作履歴を表示する表示手段と、表示手段により表示された操作履歴の中から任意の操作履歴を選択するための選択手段と、前記選択手段により選択された操作履歴の設定情報を、画像形成装置に設定するための設定手段とを備えたことを特徴とする。
【発明の効果】
【００１９】
本発明によって、所望の操作履歴を容易に選択することが可能となり、ユーザの利便性を向上させることができる。
【発明を実施するための最良の形態】
【００２０】
以下本発明を実施するための最良の形態を、実施例により詳しく説明する。
【実施例】
【００２１】
以下、図面を用いて本発明の実施の形態の画像形成装置について説明する。
【００２２】
なお、以下の説明において特に指定のない限り、実行や判断の主体はハードウェア的にはＣＰＵであり、一方ソフトウェア的には画像形成制御ソフトウェアである。
【００２３】
図３は本発明で実施した操作履歴詳細設定画面の表示内容を説明した図である。図３において、３０１は操作履歴詳細設定画面であり、３０２にはタイトル表示（操作履歴詳細設定画面）の右側に、現在個人認証されているオペレータのユーザＩＤを表示している。３０３は装置全体の操作履歴を利用対象に設定するための全体履歴スイッチ、３０４は現在個人認証されている個人の操作履歴のみを利用対象に設定するための個人履歴スイッチ、３０５は過去にコピー操作が行われた際に設定された設定情報を表示するための履歴情報表示画面、３０６は表示している操作履歴の一つ前の操作履歴を表示させるための戻るボタン、３０７は表示している操作履歴の次の操作履歴を表示させるための次へボタン、３０８は利用可能な操作履歴のみを抽出してオペレータに表示する機能を有効にするか無効にするかを設定するための絞り込みボタン、３０９は操作履歴詳細設定画面３０１で行った操作をキャンセルし、この画面を閉じるためのキャンセルスイッチ、３１０は履歴情報表示画面３０５に表示された設定情報を画像形成装置に反映させた後、操作履歴詳細設定画面３０１を閉じるためのＯＫスイッチである。
【００２４】
以下に、図３で示した操作履歴詳細設定画面３０１を利用して、画像形成装置のコピー機能を実行する手順を以下に詳しく説明する。
【００２５】
図４は本発明の画像形成装置の構成を表したブロック図である。
【００２６】
図４において、４０１は画像形成装置全体の制御を司るメインコントローラ部、４０２はオペレータから画像形成装置に対する操作を受け付けたり、オペレータに対して装置の状態などの情報を提供するための操作部、４０３は操作部４０２がメインコントローラ部４０１と通信を行うためのＩ／Ｏ部、４０４はオペレータに情報を提供したり、ソフト的に生成されたスイッチを表示するための液晶パネル部、４０５は液晶パネル部４０４上に表示されたソフトスイッチの操作を検知するためのタッチパネル部、４０６はオペレータからの操作を受け付けるために物理的に配置されたスイッチ部、４０７は印刷データやプログラムを記憶したり、データのキャッシュエリアとして利用されるＨＤＤ部、４０８は印刷画像を展開したり、加工するために用いられる画像メモリ部、４０９は画像形成装置に機能拡張を行う目的で利用される拡張バス、４１０は拡張バス４０９を利用して画像形成装置に増設されたＮＩＣ（Ｎｅｔｗｏｒｋ  Ｉｎｔｅｒｆａｃｅ  Ｃａｒｄ）部である。
【００２７】
４１１はＬＡＮ上を流れる通信パケットを監視し、本画像形成装置に関係のあるデータパケットを受信したり、本画像形成装置で生成されたデータパケットをＬＡＮへ送信するための制御を司るＬＡＮコントローラ、４１２は電圧変換を行い、画像形成装置とＬＡＮの物理的な通信を実現するためのトランス部、４１３は記録メディアである紙に画像を印刷するための印刷部、４１４はメインコントローラ部４０１によって送られてくる画像データを、紙に印刷するために適したデータに補正するために、ガンマ変換、エッジ強調、スムージングなどの画像処理を行う出力処理部、４１５は出力処理後の画像データを、レーザービームを駆動するための信号に変換するためのＰＷＭ部、４１６はレーザービームで供給された信号を基に、紙に画像を印刷するためのプリンタ部、４１７は印刷部４１３によって作成された印刷済みの紙を、画像形成装置の外部に排出するための排紙部、４１８は排紙部４１７がメインコントローラ部４０１と通信するためのＩ／Ｏ部、４１９は排紙部４１７の制御を司るコントローラ部である。
【００２８】
又、４２０は排紙部４１７内を通過する紙の流れを監視するための用紙センサー部、４２１は紙を配送するためのモータを駆動する給紙モータ駆動部、４２２は排紙トレイを駆動するためのトレイモータ駆動部、４２３は紙の流れを制御するための用紙パス制御部、４２４は拡張バス４０９を利用して画像形成装置に増設されたＦＡＸ部、４２５はＦＡＸ部によって送受信するためのデータを一時的に保管するためのメモリ部、４２６はＦＡＸ送信を行う際に送信データに圧縮処理を行うための圧縮部、４２７はＦＡＸ受信を行う際に受信データに伸張処理を行うための伸張部、４２８はＦＡＸ送信を行う際に送信データのＤ／Ａ変換と変調処理を行うための変調部、４２９はＦＡＸ受信を行う際に受信データの復調とＡ／Ｄ変換を行うための復調部である。
【００２９】
４３０はモデム部（変調部４２８及び復調部４２９によって構成される部分）と公衆電話回線とを接続するための電圧変換回路やサージ保護回路などによって構成されるＮＣＵ部、４３１はコピー原稿を読み取るためのスキャナ部であり、４３２は光学的な信号を電気信号に変換するためのイメージセンサ部、４３３は入力信号のゲイン調整、オフセット調整及びＡ／Ｄ変換を行うためのＡ／Ｄ変換部、４３４は基準白色板の読み取り信号を用いた、公知のシェーディング補正を行うためのシェーディング部である。
【００３０】
カードリーダＩ／Ｆ４３５は、ＩＣカードの読取装置であるカードリーダ４３６のインタフェース部である。
【００３１】
図５はスキャナ部４３１、印刷部４１３、及び排紙部４１７の機械的構造を表した断面図である。
【００３２】
図５において、５０１は原稿給送装置、５０２はプラテンガラス、５０３はランプ、５０４はスキャナユニット、５０５、５０６、及び５０７はミラー、５０８はレンズ、５０９はイメージセンサであるところのＣＣＤ、５１０はレーザ発光部、５１１は感光ドラム、５１２は現像器、５１３及び５１４は紙カセット、５１５は転写部、５１６は定着部、５１７は排出ローラ、５１８はフラッパ、５１９は排紙ユニットであるところのソータである。
【００３３】
以下にコピー処理の動作を詳しく説明しておく。
【００３４】
スキャナ部４３１に設けられた原稿給送装置５０１は、コピー原稿を最終頁から順にｌ枚ずつプラテンガラス５０２上へ給送し、コピー原稿の読み取り動作終了後、プラテンガラス５０２上の原稿を排出するものである。コピー原稿がプラテンガラス５０２上に搬送されると、ランプ５０３を点灯し、スキャナユニット５０４の移動を開始させて、コピー原稿を露光走査する。この時のコピー原稿からの反射光は、ミラー５０５、５０６、５０７、及びレンズ５０８によってＣＣＤイメージセンサ（以下ＣＣＤという）５０９へ導かれる。このように、走査されたコピー原稿の画像は、ＣＣＤ５０９によって読み取られる。
【００３５】
このようにしてイメージセンサ部４３２へ入力された画像データは、Ａ／Ｄ変換部４３３へ送られ、ここでゲイン調整とオフセット調整が行われた後、Ａ／Ｄコンバータで８ビットのデジタル信号に変換され、シェーディング部４３４へ送られる。シェーディング部４３４では、基準白色版の読み取り信号を用いた公知のシェーディング補正が施され、メインコントローラ部４０１へ送られる。メインコントローラ部４０１ではこの画像データを印刷部４１３に送り、印刷処理を促す。印刷部４１３の出力処理部４１４に入力された画像データは、トナーの濃度諸特性を考慮した濃度データに変換するためのガンマ補正と、シャープネス処理、スムージング処理が施され、ＰＷＭ部４１５へ送られる。ＰＷＭ部４１５では、入力されたデジタル信号を基に、アナログ信号であるレーザ駆動信号を生成する。
【００３６】
レーザ駆動信号はレーザ発光部５１０を駆動するものであり、この信号に応じたレーザ光をレーザ発光部５１０から発行する。このレーザ光は感光ドラム５１１に照射され、感光ドラム５１１にはレーザ光に応じた潜像が形成される。この感光ドラム５１１の潜像の部分には現像器５１２によって現像剤が付着される。そして、レーザ光の照射開始と同期したタイミングで、紙カセット５１３、または紙カセット５１４のいずれかから記録紙を給紙して転写部５１５へ搬送し、感光ドラム５１１に付着された現像剤を記録紙に転写する。現像剤の乗った記録紙は定着部５１６に搬送され、定着部５１６の熱と圧力により現像剤は記録紙に定者される。定着部５１６を通過した記録紙は排出ローラ５１７によって排出され、ソータ５１９は排出された記録紙をそれぞれのビンに収納して記録紙の仕分けを行う。なお、ソータ５１９にソート方法の設定が行われていない場合は、最上ビンに記録紙を収納する。
【００３７】
また、両面印刷モードが設定されている場合は、排出ローラ５１７のところまで記録紙を搬送した後、排出ローラ５１７の回転方向を逆転させ、フラッパ５１８によって再給紙搬送路へ導く。多重記録が設定されている場合は、記録紙を排出ローラ５１７まで搬送しないようにフラッパ５１８によって再給紙搬送路へ導く。再給紙搬送路へ導かれた記録紙は上述したタイミングで転写部５１５へ給紙され、再び印刷処理が実行される。
【００３８】
以上の構成において、図２のフローチャートを用いて、操作履歴を利用した場合のコピー機能の処理手順を以下に説明する。
【００３９】
操作履歴の利用は、図８に示したコピー操作画面が液晶パネル８０２上の応用モードスイッチ８１４を押下することによって利用可能となる。応用モードスイッチ８１４を押下すると、応用モード詳細設定画面１００１が液晶パネル８０２にポップアップ表示され、操作履歴スイッチ１００２が操作可能となる。操作履歴スイッチ１００２を押下すると、図３で示した本発明の操作履歴詳細設定画面３０１が液晶パネル８０２にポップアップ表示され、操作履歴の利用が可能となる。
【００４０】
図２のステップＳ２０１で、画像形成装置においてカードリーダに磁気カードが挿入されているか判定する。
【００４１】
ステップＳ２０１の判定がＹＥＳならば、ステップＳ２０２へ進み、ＮＯならばステップＳ２０９へ進む。
【００４２】
カードリーダに磁気カードが挿入されていない状態では、オペレータは個人認証することによって享受可能な一部のサービスを受けることができなくなる。
ステップＳ２０２で、カードリーダが磁気カードからデータを読み出す。個別の磁気カードには個人ＩＤとパスワードが記憶されている。読み取られたデータはＩ／Ｏ部４０３を介してメインコントローラ部４０１へ伝えられる。メインコントローラ部４０１は入力された個人ＩＤとパスワードを、ＨＤＤ部４０７（或いは図示していない不揮発性メモリ）などに記憶されたユーザＩＤテーブルと照合する。
【００４３】
図６はＨＤＤ部４０７に記憶されたユーザＩＤテーブル６０３である。メインコントローラ部４０１はこのテーブルの情報を基に、入力された個人ＩＤとパスワードが有効なものであるか否かを確認し、正しいものと判断されると、ステップＳ２０３へ進み、個人ＩＤとパスワードが無効なものと判断されると、ステップＳ２０９へ進む。
【００４４】
ステップＳ２０３で個人履歴ボタンを有効にする。
【００４５】
ステップＳ２０４で、個人履歴ボタン３０４が押下されているか否かを判定する。ステップＳ２０４の判定がＹＥＳならばステップＳ２０５へ進み、ＮＯならばステップＳ２１０へ進む。
【００４６】
ステップＳ２０５では、ＨＤＤ部４０７の操作履歴記憶テーブル（図７）から、認証済のユーザＩＤに対応する操作履歴情報を読み出し、取得した個人操作履歴情報の中から、最も新しい操作履歴情報を履歴情報表示画面３０５に表示する表示処理が行われる（Ｓ２０６）。
【００４７】
この時、ステップＳ１０１で行われる表示処理を、図１のフローチャートを用いて更に詳しく説明する。
【００４８】
ステップＳ１０１で、初めに利用可能な操作履歴をオペレータに表示する機能を有効にするか否かを設定するための絞り込みボタン３０８の設定を確認する。ステップＳ１０１の判定がＹＥＳならばステップＳ１０２に進み、ＮＯならばステップＳ１０８へ進む。
【００４９】
続けて現在の画像形成装置の状態を取得する（Ｓ１０２）。
【００５０】
ステップＳ１０３では、操作履歴テーブルから操作履歴を読み出す。
【００５１】
ステップＳ１０４で、操作履歴テーブル中に、取得した画像形成装置の状態を含む操作履歴があるか否かを判定する。
【００５２】
ステップＳ１０４の判定がＹＥＳならばステップＳ１０５へ進み、ＮＯならばステップＳ１０６へ進む。
【００５３】
ステップＳ１０５で、抽出操作履歴テーブルに行が一行追加される。
【００５４】
ステップＳ１０６で、操作履歴テーブルから操作履歴の読み出しが終了したか否かを判定する。ステップＳ１０６の判定がＹＥＳならばステップＳ１０７へ進み、ＮＯならばステップＳ１０４以降を繰り返す。
【００５５】
ステップＳ１０７で、履歴情報表示画面３０５に対応する抽出操作履歴テーブル内容を表示する。一方、ステップＳ１０１において、絞り込みボタンが押下されていないと判定された場合は、履歴情報表示画面３０５に対応する操作履歴テーブルの内容を表示し、終了する。このことを更に具体的に述べると、例えばＡ４用紙を利用したコピーの操作履歴が、ステップＳ１０４の調査で、現在、画像形成装置にＡ４用紙の原稿がセットされていることが判定できた場合、履歴情報表示画面３０５に表示される操作履歴は、Ａ４用紙の原稿をコピーしたときの操作履歴のみが絞り込まれる。
【００５６】
また、ステップ１０１において、利用可能な操作履歴をオペレータに表示する機能が有効にするか否かを設定するための絞り込みボタン３０８が押下されているか否かをを判定する。ステップＳ１０１の判定がＮＯならばステップＳ１０８に進む。
【００５７】
ステップＳ１０８では、ＨＤＤ部４０７の操作履歴記憶テーブル７０７から、全てのユーザの操作履歴を読み出し、その中から最も新しい操作履歴情報を履歴情報表示画面３０５に表示する表示処理が行われる。
【００５８】
図７においては、操作履歴の番号７０１、ユーザＩＤ７０２、操作日時７０３以外に、記憶される設定情報として、倍率７０４、用紙サイズ７０５、及び部数７０６を例に挙げて記載しているが、その他にも画質、描画方法、印刷速度、フィニッシング処理、給紙処理、排紙処理など、コピー動作に関わるあらゆる設定項目が記憶可能であり、後ほど利用可能あることは言うまでもない。
【００５９】
また、本実施例ではコピー動作に言及しているが、デジタル複合機が持ち得るＦＡＸ機能、印刷機能、ボックス（データサーバ）機能、スキャナ機能、データ送信機能などに関わるあらゆる設定項目も操作履歴として記憶し、後ほど再利用できることは言うまでもない。
【００６０】
次にオペレータからの操作が待機され、ステップＳ２０７によって次へボタン３０７が押下されたと否かを判定する。ステップＳ２０７の判定がＹＥＳならばステップＳ２０８へ進み、ＮＯならばステップＳ２１２へ進む。ステップＳ２０８で、表示している操作履歴テーブル中の次の行の操作履歴を表示させる。
【００６１】
ステップＳ２１２で、戻るボタン３０６が押下されたか否かを判定する。ステップＳ２１２の判定がＹＥＳならばステップＳ２１３へ進み、ＮＯならばステップＳ２１５へ進む。ステップＳ２１３で、表示している操作履歴テーブル中の前の行の操作履歴を表示させる。
【００６２】
また、ステップＳ２１５でＯＫボタン３０８が押下されたと判定されたならば、この時点で履歴情報表示画面３０５に表示されている設定情報を、画像形成装置にセットし（Ｓ２１６）、続いて操作履歴詳細設定画面３０１を閉じる（Ｓ２１６）ことによって、操作履歴を用いた一連の処理が終了する。
【００６３】
一方、ステップＳ２１４によってキャンセルボタンが押下されたと判定された場合は、画像形成装置に対して設定を行う処理はスキップされ、続いて操作履歴詳細設定画面３０１を閉じる（Ｓ２１７）ことによって、操作履歴を用いた一連の処理が終了するが、ステップＳ２１４によってキャンセルスイッチが押下されていないと判定された場合は、オペレータからの操作待機状態に戻る。
【００６４】
以上説明した処理により、オペレータは全体操作履歴、或いは個人操作履歴を参照し、必要に応じて、過去に設定されたコピー機能の設定情報を画像形成装置に反映させることが可能となる。この処理の後に、オペレータによってスタートスイッチ３１８が押下されると、ここで設定された設定情報を基に、コピー処理が実行される。
【図面の簡単な説明】
【００６５】
【図１】本実施例における画像形成装置の表示制御の詳細フローチャート
【図２】本実施例における画像形成装置のコピー設定のフローチャート
【図３】本実施例における画像形成装置の操作履歴詳細設定画面を示す図
【図４】本実施例における画像形成装置のブロック図
【図５】スキャナ部、印刷部、排紙部の機械的構造を表した断面図
【図６】本実施例における画像形成装置のユーザＩＤテーブル
【図７】本実施例における画像形成装置の操作履歴記憶テーブル
【図８】従来例または本実施例における画像形成装置の画像形成装置の操作パネルを示す図
【図９】従来例または本実施例における画像形成装置の通常のコピー動作のフローチャート
【図１０】従来例または本実施例における画像形成装置の応用モード詳細設定画面を示す図
【図１１】従来例における画像形成装置の操作履歴詳細設定画面を示す図
【符号の説明】
【００６６】
３０１  操作履歴詳細設定画面
３０２  タイトル表示
３０３  全体履歴スイッチ
３０４  個人履歴スイッチ
３０５  履歴情報表示画面
３０６  戻るボタン
３０７  次へボタン
３０８  絞り込みボタン
３０９  キャンセルスイッチ
３１０  ＯＫボタン
４０１  メインコントローラ部
４０２  操作部
４０３  Ｉ／Ｏ部
４０４  液晶パネル部
４０５  タッチパネル部
４０６  スイッチ部
４０７  ＨＤＤ部
４０８  画像メモリ部
４０９  拡張バス
４１０  ＮＩＣ（Ｎｅｔｗｏｒｋ  Ｉｎｔｅｒｆａｃｅ  Ｃａｒｄ）部
４１１  ＬＡＮコントローラ
４１２  トランス部
４１３  印刷部
４１４  出力処理部
４１５  ＰＷＭ部
４１６  プリンタ部
４１７  排紙部
４１８  Ｉ／Ｏ部
４１９  コントローラ部
４２０  用紙センサー部
４２１  給紙モータ駆動部
４２２  トレイモータ駆動部
４２３  用紙パス制御部
４２４  ＦＡＸ部
４２５  メモリ部
４２６  圧縮部
４２７  伸張部
４２８  変調部
４２９  復調部
４３０  ＮＣＵ部
４３１  スキャナ部
４３２  イメージセンサ部
４３３  Ａ／Ｄ変換部
４３４  シェーディング部
４３５  カードリーダＩ／Ｆ
４３６  カードリーダ
５０１  原稿給送装置
５０２  プラテンガラス
５０３  ランプ
５０４  スキャナユニット
５０５  ミラー
５０６  ミラー
５０７  ミラー
５０８  レンズ
５０９  ＣＣＤ
５１０  レーザ発光部
５１１  感光ドラム
５１２  現像器
５１３  紙カセット
５１４  紙カセット
５１５  転写部
５１６  定着部
５１７  排出ローラ
５１８  フラッパ
５１９  ソータ
【図１】
2006220940.tif 000003
【図２】
2006220940.tif 000004
【図３】
2006220940.tif 000005
【図４】
2006220940.tif 000006
【図５】
2006220940.tif 000007
【図６】
2006220940.tif 000008
【図７】
2006220940.tif 000009
【図８】
2006220940.tif 000010
【図９】
2006220940.tif 000011
【図１０】
2006220940.tif 000012
【図１１】
2006220940.tif 000013